(57)【要約】【課題】地面からのシロアリの侵入を簡単な施行で抑制し、且つ、基礎の断熱性を確保することのできる基礎断熱構造を提供する。【解決手段】本発明の基礎断熱構造は、建築物２を支持する外周基礎６を地面２００から上方に突出させて有する基礎４と、外周基礎６の屋外側表面１２を被覆する外側断熱材２８と、外周基礎６の屋内側表面を被覆する内側断熱材３０とを具備する。この外側断熱材２８の下端を、地面２００から上方に隔離して位置させる。【選択図】図１
2014221975.tif 000002
【特許請求の範囲】
【請求項１】
建築物を支持する外周基礎を地面から上方に突出させて有する基礎と、
前記外周基礎の屋外側表面を被覆する外側断熱材と、
前記外周基礎の屋内側表面を被覆する内側断熱材とを具備し、
前記外側断熱材の下端を、前記地面から上方に隔離して位置させたことを特徴とする基礎断熱構造。
【請求項２】
前記内側断熱材の上端を、前記外周基礎の上端よりも、下方に位置させたことを特徴とする請求項１に記載の基礎断熱構造。
【請求項３】
前記外周基礎の屋内側に装着されるカバー部材を、更に具備し、
前記カバー部材は、
前記外周基礎の前記屋内側表面のうち前記内側断熱材よりも上方の部分に当接する第一カバーと、前記内側断熱材の上端部を前記外周基礎に押し付ける第二カバーとを、一体に有することを特徴とする請求項２に記載の基礎断熱構造。
【請求項４】
前記カバー部材は、
前記第一カバーから延設される第三カバーと、前記第三カバーに固定される気密材とを、更に有し、
前記気密材を、前記外周基礎の上端面と、この上端面の上方に配置される土台との間で、挟み込んで設けたことを特徴とする請求項３に記載の基礎断熱構造。
【請求項５】
前記外側断熱材の表面を被覆する不燃性の化粧カバーを、更に具備することを特徴とする請求項１〜４のいずれか一項に記載の基礎断熱構造。
【請求項６】
前記外周基礎の屋外側に装着される水切り部材を、更に具備し、
前記水切り部材は、前記外側断熱材の上端部を前記外周基礎に押し付ける機能を有することを特徴とする請求項１〜５のいずれか一項に記載の基礎断熱構造。
【発明の詳細な説明】
【技術分野】
【０００１】
本発明は、基礎を断熱材で被覆した基礎断熱構造に関する。
【背景技術】
【０００２】
建築物を支持する基礎において、地面から上方に突出する部分に断熱性を付与することが、従来行われている（特許文献１等参照）。
【０００３】
図３には、従来の基礎断熱構造を概略的に示している。この構造では、地面２００から突出する外周基礎１００の屋外側表面１０２と屋内側表面１０４を、それぞれ断熱材１０６で被覆している。
【先行技術文献】
【特許文献】
【０００４】
【特許文献１】特開２００２−３７１６４４号公報
【発明の概要】
【発明が解決しようとする課題】
【０００５】
上述のように断熱材を配した基礎断熱構造においては、シロアリが断熱材に蟻道を作って侵入することがあり、これを抑制するシロアリ対策を備えることが望ましい。例えば特許文献１に記載の構造では、基礎の上端面にステンレス製のメッシュ材を配置し、シロアリが断熱材に蟻道を作って侵入してきても、このメッシュ材でシロアリを返すように設けている。
【０００６】
しかし、上記シロアリ対策では、シロアリが断熱材に蟻道を作りやすい構造であることに変わりはない。また、上記シロアリ対策の確実性は、現場での施行管理に依存するところも大きい。
【０００７】
本発明は、前記課題を解決するもので、地面からのシロアリの侵入を簡単な施行で抑制することができ、且つ、基礎の断熱性は確保することのできる基礎断熱構造を提供することを、目的とする。
【課題を解決するための手段】
【０００８】
前記課題を解決するために、本発明を、下記構成を具備する基礎断熱構造とする。
【０００９】
本発明は、建築物を支持する外周基礎を地面から上方に突出させて有する基礎と、前記外周基礎の屋外側表面を被覆する外側断熱材と、前記外周基礎の屋内側表面を被覆する内側断熱材とを具備し、前記外側断熱材の下端を、前記地面から上方に隔離して位置させたことを特徴とする基礎断熱構造である。
【００１０】
本発明では、前記内側断熱材の上端を、前記外周基礎の上端よりも、下方に位置させることが好ましい。
【００１１】
本発明では、前記外周基礎の屋内側に装着されるカバー部材を、更に具備し、前記カバー部材は、前記外周基礎の前記屋内側表面のうち前記内側断熱材よりも上方の部分に当接する第一カバーと、前記内側断熱材の上端部を前記外周基礎に押し付ける第二カバーとを、一体に有することが好ましい。
【００１２】
前記カバー部材は、前記第一カバーから延設される第三カバーと、前記第三カバーに固定される気密材とを、更に有し、前記気密材を、前記外周基礎の上端面と、この上端面の上方に配置される土台との間で、挟み込んで設けることが好ましい。
【００１３】
本発明では、前記外側断熱材の表面を被覆する不燃性の化粧カバーを、更に具備することが好ましい。
【００１４】
本発明では、前記外周基礎の屋外側に装着される水切り部材を、更に具備し、前記水切り部材は、前記外側断熱材の上端部を前記外周基礎に押し付ける機能を有することが好ましい。
【発明の効果】
【００１５】
本発明は、外側断熱材の下端を、地面から上方に隔離して位置させたものであるから、地面からのシロアリの侵入を簡単な施行で抑制することができ、且つ、基礎の断熱性は確保することができるという効果を奏する。
【図面の簡単な説明】
【００１６】
【図１】本発明の一実施形態の基礎断熱構造の要部断面図である。
【図２】同上の基礎断熱構造が備えるカバー部材の変形例を示す要部断面図である。
【図３】従来の基礎断熱構造の要部断面図である。
【発明を実施するための形態】
【００１７】
本発明を、添付図面に示す実施形態に基づいて説明する。図１には、本発明の一実施形態の基礎断熱構造を示している。
【００１８】
本実施形態の基礎断熱構造は、建築物２を支持するための基礎４のうち、屋外側と屋内側を仕切る外周基礎６の部分を断熱し、且つ、屋外側からのシロアリの侵入を防止する構造である。図中において、建築物２側の構造は概略的に示している。
【００１９】
基礎４は、平坦な底部８の外周部分から、上方にむけて外周基礎６を立設した構造である。外周基礎６は、鉄筋コンクリートからなる布基礎部分であり、上方を向く上端面１０と、屋外側を向く屋外側表面１２と、屋内側を向く屋内側表面１４とを有する。
【００２０】
外周基礎６の上端面１０には、気密材４８を挟んで土台１６を載置する。外周基礎６にはアンカーボルト１８を埋め込み、このアンカーボルト１８の上端部を外周基礎６の上端面１０から上方に突出させる。
【００２１】
アンカーボルト１８の上端部は、土台１６を貫通して上方に突出し、この突出部分にナット２０を締結することで、土台１６と外周基礎６を結合させる。この土台１６が、建築物２の床下地パネル２２や柱２４を支持する。建築物２は例えば木造家屋であり、その外周に外装材２６を有する。
【００２２】
本実施形態の外周基礎６には、発泡樹脂から成る外側断熱材２８と内側断熱材３０を、固着する。
【００２３】
外側断熱材２８は、外周基礎６が有する屋外側表面１２のうち、地面２００から一定の距離をあけた部分に固着する。
【００２４】
言い換えれば、屋外側表面１２のうち、地面２００から所定の高さまでの領域は、外側断熱材２８で被覆せず、外周基礎６のコンクリートを屋外側に露出させる領域とする。屋外側表面１２のうち、地面２００からの所定の高さを超える領域は、外側断熱材２８で被覆して隠す領域とする。
【００２５】
内側断熱材３０は、外周基礎６が有する屋内側表面１４のうち、上端から所定の距離をあけた部分に固着する。
【００２６】
言い換えれば、屋内側表面１４のうち、その上端から所定の距離内の領域は内側断熱材３０で覆わず、その他の領域については内側断熱材３０で全体を覆う構造である。
【００２７】
内側断熱材３０は、屋内側表面１４を覆う部分３２と、基礎４の底部８の上面を覆う部分３４とを、一連に有する。内側断熱材３０の両部分３２，３４は、断面Ｌ字状に連続する。
【００２８】
本実施形態の基礎断熱構造では、外周基礎６の屋内側上部に装着されるカバー部材３６を備えている。
【００２９】
カバー部材３６は、複数個所で直角に屈曲した断面形状を有する、板状の部材である。カバー部材３６は、これら屈曲箇所を介して、第一カバー３８、第二カバー４０及び第三カバー４２を連続して有する。
【００３０】
第一カバー３８は、外周基礎６の屋内側表面１４のうち、内側断熱材３０が配される部分よりも上方の領域に当接する部分である。
【００３１】
第二カバー４０は、第一カバー３８の下端から延設される部分である。第二カバー４０は、内側断熱材３０の上端面に当る部分と、内側断熱材３０の屋内側の表面上部に当る部分とを、一体に有する。第二カバー４０の両部分は、断面Ｌ字状に連続する。
【００３２】
第三カバー４２は、第一カバー３８の上端から延設される部分である。第三カバー４２は、その先端部分に気密材４８を一体に設けている。気密材４８は、外周基礎６の上端面１０の長手方向に沿って配される、レール状の気密パッキンである。
【００３３】
第三カバー４２は、外周基礎６と土台１６に上下方向に挟まれて位置し、一体に設けた気密材４８によって、外周基礎６と土台１６の間の不陸を調整し、気密性を確保する。
【００３４】
気密材４８や第三カバー４２を、外周基礎６と土台１６の間に挟むことで、カバー部材３６は外周基礎６の上部に固定される。カバー部材３６のうち、第一カバー３８と第二カバー４０は断面クランク状に連続し、このうち第二カバー４０が、内側断熱材３０の上端部を外周基礎６に押し付ける。
【００３５】
本実施形態の基礎断熱構造では、外周基礎６の屋外側に装着した外側断熱材２８を被覆するために、化粧カバー５０を備えている。
【００３６】
化粧カバー５０は、金属から成る不燃性のカバーである。化粧カバー５０によって、外側断熱材２８のうち、外周基礎６と対向する面を除いた表面全体を被覆する。この化粧カバー５０は、建築物２側の外装材２６との間でコーディネートされた模様や色彩を有することが好ましい。
【００３７】
更に、本実施形態の基礎断熱構造では、外周基礎６の屋外側上部に装着する水切り部材５２を備えている。
【００３８】
水切り部材５２は、土台１６の屋外側の表面に固定される固定片５４と、固定片５４の下端から延設される水切り片５６とを有する。
【００３９】
水切り片５６は、その中間部分に屈曲部を有する。水切り片５６は、該屈曲部より上方の半部が傾斜片５８となり、屈曲部よりも下方の半部が垂下片６０となるように、土台１６に固定する。
【００４０】
傾斜片５８は、下方にいくほど屋外側に位置するように傾斜した片である。垂下片６０は、傾斜片５８の下端から鉛直方向に垂下される。
【００４１】
垂下片６０は、外側断熱材２８の上端部に対して屋外側から押し当るように設けている。本実施形態では、垂下片６０は、化粧カバー５０を介して外側断熱材２８に押し当る。垂下片６０は、外装材２６の屋外側を向く表面よりも、屋外側に位置する。
【００４２】
この水切り片５６は、上方の外装材２６を伝って流れた雨水を、傾斜片５８や垂下片６０を通じて屋外側に流し、雨水の屋内側への浸入を抑える機能を有する。加えて、水切り片５６は、外側断熱材２８の上端部を外周基礎６に押し付ける機能を有する。
【００４３】
なお、本発明は、前記実施形態に限定されるものではなく、適宜の設計変更が可能である。
【００４４】
例えば、図２には、カバー部材３６の変形例を示している。この例では、第一カバー３８の上端から断面Ｌ字状の固定片７０を延設し、この固定片７０を、土台１６の屋内側の表面に固定させている。この例のカバー部材３６には、気密材４８を一体に設けない。
【００４５】
また、本実施形態の基礎断熱構造では、カバー部材３６、化粧カバー５０、水切り片５６等を備えているが、これらを備えない構造であっても構わない。
【００４６】
その他の構成についても、本発明の意図する範囲内であれば、適宜の設計変更を行うことが可能である。
【００４７】
以上、添付図面に基づいて説明したように、本実施形態の基礎断熱構造は、建築物２を支持する外周基礎６を地面２００から上方に突出させて有する基礎４と、外周基礎６の屋外側表面１２を被覆する外側断熱材２８と、外周基礎６の屋内側表面１４を被覆する内側断熱材３０とを具備する。そして、外側断熱材２８の下端を、地面２００から上方に隔離して位置させている。
【００４８】
本実施形態の基礎断熱構造では、シロアリによって蟻道を作られやすい外側断熱材２８が、地面２００から所定距離だけ離れて位置するので、外側断熱材２８を介して地面２００からシロアリが侵入することを、簡易な施行で抑制することができる。これにより、外周基礎６の下部には、外側断熱材２８で覆われない領域が出来る。しかし、この領域の裏側には内側断熱材３０が位置するので、外周基礎６の断熱性は確保される。
【００４９】
更に、本実施形態の基礎断熱構造では、内側断熱材３０の上端を、外周基礎６の上端よりも、下方に位置させている。
【００５０】
これにより、外周基礎６の上端部には、建築物２の床下の熱が伝わりやすくなる。外周基礎６の温度が低くなると、この外周基礎６に埋め込まれるアンカーボルト１８の温度が低下して結露を生じやすくなるが、外周基礎６の上端部の温度低下を抑えることで、結露を抑制することができる。
【００５１】
更に、本実施形態の基礎断熱構造では、外周基礎６の屋内側に装着されるカバー部材３６を、更に具備している。カバー部材３６は、外周基礎６の屋内側表面１４のうち内側断熱材３０よりも上方の部分に当接する第一カバー３８と、内側断熱材３０の上端部を外周基礎６に押し付ける第二カバー４０とを、一体に有する。
【００５２】
このカバー部材３６を備えることで、内側断熱材３０の施工性をより向上させることができる。
【００５３】
更に、本実施形態の基礎断熱構造において、カバー部材３６は、第一カバー３８から延設される第三カバー４２と、第三カバー４２に固定される気密材４８とを、更に有する。この気密材４８を、外周基礎６の上端面１０と、この上端面１０の上方に配置される土台１６との間で、挟み込んで設けている。
【００５４】
これにより、気密材４８及びこれと一体に設けたカバー部材３６を、簡単な施行で外周基礎６に取り付けることができる。
【００５５】
また、本実施形態の基礎断熱構造は、外側断熱材２８の表面を被覆する不燃性の化粧カバー５０を、更に具備する。
【００５６】
これにより、外側断熱材２８にシロアリの蟻道が作られることを更に抑制し、且つ、化粧カバー５０を外装材２６等とコーディネートすることで、建築物２全体の外観を向上させることができる。
【００５７】
また、本実施形態の基礎断熱構造は、外周基礎６の屋外側に装着される水切り部材５２を、更に具備する。この水切り部材５２は、外側断熱材２８の上端部を外周基礎６に押し付ける機能を有する。
【００５８】
これにより、水切り部材５２を利用した簡易な施行で、外周基礎６に対して外側断熱材２８をより安定的に取り付けることが可能となる。
【符号の説明】
【００５９】
２  建築物
４  基礎
６  外周基礎
１０  上端面
１２  屋外側表面
１４  屋内側表面
１６  土台
２８  外側断熱材
３０  内側断熱材
３６  カバー部材
３８  第一カバー
４０  第二カバー
４２  第三カバー
４８  気密材
５０  化粧カバー
５２  水切り部材
２００  地面
【図１】
2014221975.tif 000003
【図２】
2014221975.tif 000004
【図３】
2014221975.tif 000005